(57)【要約】【課題】  居住空間を狭めることなく場所を取らずに設置でき、また、極めて簡易構成でトイレ用シーツの交換の作業性に優れ、薄形のため、不使用時の収納性に優れ、持ち運びにも便利で、しかも装飾性が高いペット用トイレを提供する。【解決手段】  薄形であって平板の一枚板からなる底板と、この底板に対し着脱自在な薄形の上板とを備え、前記上板も平板の一枚板からなり、かつ開口部を有する枠状をなし、前記底板に固定するための固定手段が設けられるとともに、固定手段の上部に装飾体が設けられ、前記底板にも前記上板を固定するための固定手段が設けられたことを特徴とする。【選択図】  図３
0003154900.tif 000002
【実用新案登録請求の範囲】
【請求項１】
薄形であって平板の一枚板からなる底板１Ｂと、この底板１Ｂに対し着脱自在な薄形の上板１Ａとを備え、前記上板１Ａも平板の一枚板からなり、かつ開口部１ａを有する枠状をなし、前記底板１Ｂに固定するための固定手段が設けられるとともに、固定手段の上部に装飾体が設けられ、前記底板１Ｂにも前記上板１Ａを固定するための固定手段が設けられたことを特徴とするペット用トイレ。
【請求項２】
請求項１記載のペット用トイレにおいて、前記上板１Ａおよび底板１Ｂは着色可能な透明のアクリル製であることを特徴とするペット用トイレ。
【請求項３】
請求項１記載のペット用トイレにおいて、前記上板１Ａの固定手段はマグネット２ａまたは磁性板からなり、前記底板１Ｂの固定手段はマグネットまたは磁性板からなることを特徴とするペット用トイレ。
【請求項４】
請求項１記載のペット用トイレにおいて、前記装飾体はラインストーンからなることを特徴とするペット用トイレ。
【考案の詳細な説明】
【技術分野】
【０００１】
この考案は、犬や猫等のペット用のトイレに関する。
【背景技術】
【０００２】
犬等を散歩に連れ出す場合は、通常、屋外で用を足すが、室内で飼っている場合、ペット用トイレは必需品となる。
【０００３】
従来のペット用トイレとしては、実用新案登録第３１１０６２７号や実用新案登録第３１４１９４０号に示すようなボックスタイプのものがある。
【０００４】
このようなボックス型の立体構造では居住空間での占積率が大であり、設置場所に苦労する。
【０００５】
また、ボックス型のトイレが置いてあると目障りであり、屋内のインテリアとのマッチングも悪い。
【０００６】
さらに、ボックス型のトイレでは、底板、側板、前後の板等をボックス型に組み立てるため、組立工程を要し、かつ部品点数も多く、製造が煩雑であり、コスト高となる。
【０００７】
また、内部のトイレ用シーツが汚れた場合、ボックス型のペット用トイレでは、底板の四辺に、右側板、左側板、前板、後板等からなる囲いがあり、いずれか１箇所に形成された狭いペットの出入り口から手を入れるなどしてトイレ用シーツを出し入れしなければならず、トイレ用シーツが汚れた際の交換作業がしづらい、という課題がある。
【０００８】
使用しない場合、ボックス型であると収納スペースを要し、収納性が悪い。
【０００９】
さらにまた、内部が汚れた場合、掃除しにくいという課題があった。
【００１０】
また、ボックス型タイプであるとペットがトイレと判断するまでに時間がかかり、粗相をしてしまうこともある。
【００１１】
ボックス型タイプより簡易構成のつい立てを有するＬ字型タイプのペット用トイレもあるが、このタイプもボックス型タイプとほぼ同様の欠点がある。
【００１２】
これに対し、特許第４０７９６４８号に示されるようにフラットタイプのものがある。フラットタイプであればボックス型やＬ字型のような上記欠点はない。
【先行技術文献】
【特許文献】
【００１３】
【特許文献１】実用新案登録第３１１０６２７号
【特許文献２】実用新案登録第３１４１９４０号
【特許文献３】特許第４０７９６４８号
【考案の概要】
【考案が解決しようとする課題】
【００１４】
フラットタイプにおいて、単にトイレ用シーツを台に載せるものではトイレ用シーツをきちんと挟んで固定することができないため、ペットが引っ掻いてトイレ用シーツがずれたり外れたりする、という課題がある。
【００１５】
上記特許文献３のフラットタイプのペット用トレーは、上側面に少なくともシーツが掛けられる本体部と、この本体部の周囲に嵌合して上記シーツの周囲を押さえる枠体部とを備えたペット用トレーにおいて、上記枠体部の対向する両側に嵌合部がそれぞれ設けられると共に、上記本体部の対向する両側に上記嵌合部と嵌合する被嵌合部がそれぞれ設けられ、上記枠体部が、上記嵌合部を設けた両側が上記本体部から離れる方向に反らせて成形され、上記嵌合部が、上記枠体部の縦壁部に設けられた嵌合穴または嵌合突起により構成されると共に、上記被嵌合部が、上記本体部の縦壁部のうち上記嵌合部に対向する位置に設けられた嵌合突起または嵌合穴により構成され、外側に位置する上記嵌合部または被嵌合部の縦壁部の内側面であって、上記嵌合部または被嵌合部を挟む両側に弾性リブを設けるなどした構成とし、押さえ板や突起でトイレ用シーツを固定するようにしているため、トイレ用シーツがずれたりすることはない。
【００１６】
しかしながら、このペット用トレーは、構成が複雑なため、生産性が悪く、コスト高を招来する、という課題があった。
【００１７】
また、特に装飾手段が設けられていないため、インテリア性がなく、かつ室内にインテリアがある場合、それとの調和がとれない、という課題もあった。
【００１８】
この考案は上記のことに鑑み提案されたもので、その目的とするところは、居住空間を狭めることなく場所を取らずに設置でき、また、極めて簡易構成でトイレ用シーツの交換の作業性に優れ、薄形のため、不使用時の収納性に優れ、持ち運びにも便利で、しかも装飾性が高いペット用トイレを提供する。
【課題を解決するための手段】
【００１９】
請求項１の考案は、薄形であって平板の一枚板からなる底板１Ｂと、この底板１Ｂに対し着脱自在な薄形の上板１Ａとを備え、前記上板１Ａも平板の一枚板からなり、かつ開口部１ａを有する枠状をなし、前記底板１Ｂに固定するための固定手段が設けられるとともに、固定手段の上部に装飾体が設けられ、前記底板１Ｂにも前記上板１Ａを固定するための固定手段が設けられたことを特徴とする。
請求項２の考案は、請求項１記載のペット用トイレにおいて、前記上板１Ａおよび底板１Ｂは着色可能な透明のアクリル製であることを特徴とする。
請求項３の考案は、請求項１記載のペット用トイレにおいて、前記上板１Ａの固定手段はマグネット２ａまたは磁性板からなり、前記底板１Ｂの固定手段はマグネットまたは磁性板からなることを特徴とする。
請求項４の考案は、請求項１記載のペット用トイレにおいて、前記装飾体はラインストーンからなることを特徴とする。
【考案の効果】
【００２０】
本考案では、平板状の底板１Ｂと、底板１Ｂに対し着脱自在な上板１Ａとからなる薄形のフラットタイプのため、屋内に置いても場所を取って居住空間を狭めることはなく、目障りになるようなこともなく、インテリアが置かれている場合、特にその邪魔にならず、屋内のインテリアに悪影響を及ぼすこともなく、また、上板１Ａの固定手段に装飾性が付与され、かつアクリル素材の高い透明性が高級感を醸し出すため、インテリア効果があり、アクリル素材に着色を施せばよりインテリア効果が向上する。
【００２１】
簡易構成であるため、製造が容易で、安価に製作し得る。
【００２２】
トイレ用シーツ４の交換は、上板１Ａを底板１Ｂから取り外すだけで簡単にでき、ボックス型に比べ交換の作業性が格段に良い。
【００２３】
平板状であって薄形のため、スペースをとらず、使用しない場所、家具の隙間やベッドの下等に容易に収納でき、収納性が良く、また、平板状のため、持ち運びにも便利である。
【００２４】
汚れた場合、平板状であってアクリル製のため、簡単に汚れを拭き取ったり、洗ったりでき、衛生的である。
【図面の簡単な説明】
【００２５】
【図１】本考案の実施例１に係るペット用トイレの上板の平面図。
【図２】同上の部分縦断面図。
【図３】本考案の実施例１に係るペット用トイレの分解斜視図。
【図４】本考案の実施例１の底板の部分縦断面図。
【図５】本考案の実施例１の組立状態の斜視図。
【図６】本考案の実施例１に係る底板に対し上板が取り付けられた状態の部分縦断面図。
【図７】底板に対する上板の固定手段の他の例。
【図８】本考案の実施例２に係るペット用トイレの上板の平面図。
【図９】本考案の実施例３に係るペット用トイレの上板の平面図を示す。
【考案を実施するための形態】
【００２６】
以下、図面に沿って本考案の好ましい実施例を説明する。
【実施例１】
【００２７】
図１は本考案の実施例１に係るペット用トイレの上板の平面図で、この上板１Ａは額縁状の枠部材からなる。この枠状の上板１は内側に開口部１ａを有する薄形の平板状をなし、接続部材のない耐腐食性、耐久性等に優れ、高い透明性を有し、高級感のあるアクリル製の一枚板にて構成している。
【００２８】
上板１Ａの四隅には、防臭性、かつ吸湿性のトイレ用シーツを固定するための第１の固定部材２が設けられている。
【００２９】
この固定部材２は、図２に示すように、上板１Ａに埋め込まれたマグネット２ａからなり、マグネット２ａの上部には装飾体２ｂが設けられている。この装飾体２ｂは、ほぼ円錐形をなし、外周面が多角形状に形成されたラインストーンと呼ばれるものからなる。この場合、装飾体２ｂの底面がマグネット２ａの上面に接合されている。そして、上板１Ａの上方から装飾体２ｂの多角面が光を反射してキラキラ輝いて見えるようになっており、見た場合、高級感を演出し、インテリア性をもたせている。なお、ラインストーンに代え、例えば人工ダイヤ等の他の装飾部材を用いても良い。
【００３０】
マグネット２ａの底部は上板１Ａの底面とほぼ面一となっており、底部にはマグネット保護用のシール３が貼られている。
【００３１】
なお、上板１Ａは、小さなペット用としては幅５ｃｍ、縦寸法３９ｃｍ、横寸法５１ｃｍ、開口部１ａの縦寸法２９ｃｍ、横寸法４１ｃｍ、厚さ８ｍｍに設計されている。
【００３２】
図３は上板１Ａと組み合わされて使用される底板１Ｂと、使用時、上板１Ａと底板１Ｂとの間に挟み込まれる防臭、かつ吸湿性を有するトイレ用シーツ４を示す。このトイレ用シーツ４は既に市販されているものを用いれば良い。
【００３３】
本考案のペット用トイレは上記した上板１Ａ、同じくアクリル製であって薄形の平板の一枚板からなる底板１Ｂとにて構成されている。
【００３４】
底板１Ｂは上板１Ａのような開口部１ａはなく、平板状であって接続部分のない薄い一枚板からなり、厚さは５ｍｍで全体形状は横長矩形をなし、外形は上板１Ａの外形とほぼ同寸に形成され、四隅に第２の固定部材５が設けられている。この第２の固定部材５もマグネットからなり、第１の固定部材２と対応した位置に設けられ、図４に示すように、底板１Ｂに埋め込まれ、上面は底板１Ｂ上面とほぼ面一状をなし、かつ保護用のシール３が貼られている。
【００３５】
上板１Ａ、底板１Ｂのマグネットとしては、例えばフェライト磁石を用いても良い。フェライト磁石は、粉末冶金法による焼結品で、あまり高い磁場を必要としない場合に使用される。非常に安価であるという利点があるので好ましい。割れ易いが表面にコーティングすれば強度を上げることができる。本考案では保護用のシール３を貼っているので、フェライト磁石でも問題はない。勿論他の磁石を用いても良い。
【００３６】
図５はフロアーに置かれた底板１Ｂに対し、トイレ用シーツ４、上板１Ａを順次セットした状態を示す。上板１Ａの厚さは好ましくは上述のように８ｍｍ、底板１Ｂの厚さは好ましくは上述のように５ｍｍのため、積層するとほぼ１３ｍｍの薄形タイプとなる。この厚さや形状の大きさは種々試作品を作製して使用した上で設定された。すなわち、この厚み、形状に設定しておくと、室内に置いても目障りでなく、歩いていた場合も特に邪魔にならず、仮にあたってもつまずいて転ぶようなことはなく、また、チワワのような小さなペットや年を取ったペットでも目線に障害物はなく、厚みが薄いため、容易に乗り越えてトイレに入ることができるという好適な結果が得られたために採用した。
【００３７】
なお、底板１Ｂの底面には、フローリングやじゅうたんの上に設置した際、位置がずれないよう、特に図示しないが、例えばマジックテープ（登録商標）や両面粘着テープ、ゴム等のような滑り止めが設けられる。
【００３８】
図６は、第１、第２の固定部材２、５の吸着力を介し、底板１Ｂに対し上板１Ａを一体化させ、かつそれらの間にトイレ用シーツ４を挟み込んだ状態を示す。この場合、第１の固定部材２のマグネット２ａの下部を例えばＮ極とした場合、第２の固定部材５であるマグネットの上部はＳ極とすれば相互に引着し合うため、上板１Ａをしっかりと底板１Ｂに固定でき、トイレ用シーツ４がずれるようなことはない。
【００３９】
図７は他の固定例である。この例では第２の固定部材５をマグネットに代え円板状の磁性板としたものである。この場合、マグネットより磁性板の方が価格が安いので、コストダウンを図ることができる。なお、第１の固定部材２のマグネット２ａを磁性板とし、第２の固定部材５をマグネットとしても良い。
【００４０】
上板１Ａ、底板１Ｂは透明のアクリル製であり、製造過程で容易に好みの色に着色できる。この場合、装飾体２ｂと相まって意匠的効果がより向上する。室内にインテリアが置いてある場合、その色にマッチングした色調の上板１Ａ、底板１Ｂを選べば、居住空間をしゃれた感じに演出できる。
【００４１】
ペットが開口部１ａ内に入り、用を済ませた後、トイレ用シーツ４が汚れたら上板１Ａを取り外してトイレ用シーツ４を新しいものに交換すれば良い。すなわち、マグネット２ａの磁力に抗して底板１Ｂから上板１Ａを引き離せば容易に上板１Ａを底板１Ｂから取り外すことができる。そして、トイレ用シーツ４の交換作業にあたっては、従来のボックス型のように周囲に囲いがなく、開放されているため、容易に汚れたトイレ用シーツ４を取り出すことができ、また、新しいトイレ用シーツ４をセットでき、トイレ用シーツ４の交換作業性を極めて良好に行うことができる。また、上板１Ａまたは底板１Ｂが汚れた場合、拭くか水洗いするなどすれば良い。この場合、アクリル製であって平板のため、極めて容易に水洗いすることができ、常に清潔を保つことができる。
【００４２】
また、収納する場合、上板１Ａと底板１Ｂとはそれぞれ平板状で、かつ厚さは僅か１３ｍｍと薄いため、ちょっとした家具の隙間やベッドの下等のスペースに収めることができ、収納性が良い。さらに、平板状のため、持ち運びも便利であるといった利点を有する。
【実施例２】
【００４３】
図８はやや大きいペット用として実施例１のものに比べ上板１Ａを大きくした例である。底板１Ｂの外形も上板１Ａに対応した大きさとなっている。
【実施例３】
【００４４】
図９はさらに大型のペット用のサイズ例を示す。形状を大きくした以外の他の構成は前述の第１、第２実施例と同様である。なお、大きくしたことに伴い、実施例１で示した第１、第２の固定部材２、５の数も増やし、四隅以外の適位置に設け、計１０個としている。
【００４５】
以上のように、大きさは犬種に応じたものを使用すれば良い。よって本考案は、ペットの種類、年齢を問わず使用できる。なお、上板１Ａ、底板１Ｂの大きさは必ずしも図示例に限定されるものでなく、ペットの種類によって適宜設定し得ることは勿論である。また、固定手段の数も大きさによって適宜増減し得る。
【符号の説明】
【００４６】
１Ａ      上板
１ａ      開口部
１Ｂ      底板
２        第１の固定部材
２ａ      マグネット
２ｂ      装飾体
３        シール
４        トイレ用シーツ
５        第２の固定部材
【図１】
0003154900.tif 000003
【図２】
0003154900.tif 000004
【図３】
0003154900.tif 000005
【図４】
0003154900.tif 000006
【図５】
0003154900.tif 000007
【図６】
0003154900.tif 000008
【図７】
0003154900.tif 000009
【図８】
0003154900.tif 000010
【図９】
0003154900.tif 000011